(57)【特許請求の範囲】
【請求項１】
帯状の包装フィルムを長手方向に繰り出す繰出し手段と、
前記繰り出された包装フィルムの所定位置に舌片状の開封摘み部を形成する開封摘み形成手段と、
前記開封摘み形成手段より下流側に設けられ、前記包装フィルムを挟んで相対向する回転刃と受け刃とにより協同して前記包装フィルムを横方向に切断する主切断手段とを備えた包装フィルム切断装置において、
前記開封摘み形成手段より形成した開封摘み部を前記回転刃側に押し出し、該開封摘み部を前記回転刃の前面に係合させる開封摘み押出手段を設けたことを特徴とする包装フィルム切断装置。
【請求項２】
前記開封摘み押出手段は、棒状又はピン状の押込み部材を前記開封摘みへ突き当てることにより、該開封摘みを前記回転刃側に押し出すものであることを特徴とする請求項１記載の包装フィルム切断装置。
【請求項３】
前記開封摘み押出手段は、ノズルから噴出するガスの圧力により、前記開封摘みを前記回転刃側に押し出すものであることを特徴とする請求項１記載の包装フィルム切断装置。
【請求項４】
繰り出されてきた帯状の包装フィルムを横方向に切断する回転刃を備えた包装フィルム切断装置において、
包装フィルムの所定位置に舌片状の開封摘み部を形成する開封摘み形成工程と、
前記開封摘み部を前記回転刃の前方に押し出し、該回転刃の前面に係合させる開封摘み押出工程と、
前記回転刃の前面で前記開封摘み部を押し曲げた状態で、前記回転刃により前記包装フィルムを横方向に切断する切断工程とを含むことを特徴とする包装フィルム切断方法。
【発明の詳細な説明】
【０００１】
【発明の属する技術分野】
この発明は、上包み包装装置等に組み込まれる包装フィルム切断装置とその方法に関し、特に被包装物を包む包装フィルムの開封を容易にするため、同フィルムの端縁に舌片状の開封摘み部を形成する機能を備えた包装フィルム切断装置及び切断方法に関する。
【０００２】
【従来の技術】
被包装物の表面に包装フィルムを自動包装する上包み包装装置には、帯状の包装フィルムを所定長さに切断して包装作業位置に自働供給する包装フィルム切断装置が組み込まれている。
【０００３】
図１５は、上包み包装装置の概要を示す斜視図である。搬送経路に沿って送られてきた被包装物１００は、プッシャと称する押出し部材１０１により１個づつ包装作業位置Ａに押し出される。包装作業位置Ａには被包装物１００の押し出し方向と交差して包装フィルム１が配置されている。この包装フィルム１は、包装作業位置Ａを通過する被包装物１００の表面に巻き付けられ、続く折り込み作業位置Ｂで、両端に延出する耳部を折り込まれて、被包装物１００の表面全体を包み込む。
【０００４】
ここで、包装フィルム１はドラム１０２から繰り出され、所定位置に開封テープ３を融着された後、包装フィルム切断装置によって所定の長さに切断されて、包装作業位置Ａに供給される。
【０００５】
さて、このように切断，供給される包装フィルム１の一端には、開封テープ３の融着位置に対応して、舌片状の開封摘み部２が形成される（図１６参照）。この開封摘み部２は、図１７に示すように、包装フィルム１を開封テープ３に沿って引き裂いて被包装物１００を取り出す際の摘みとなるものである。
【０００６】
図１８は、従来のこの種の包装フィルム切断装置の構成とその切断作業の流れとを対応させて示す図である。
同図に示すように、包装フィルム切断装置は、包装フィルム１の繰出し手段である一対の繰出しローラ２０，２１、開封摘み形成手段としての小口カッタ１０、及び主切断手段である回転刃３３と受け刃３１を備えており、繰出しローラ２０，２１によって連続して繰り出される包装フィルム１の所定位置に、小口カッタ１０で舌片状の開封摘み部２を形成し、その下流側で回転刃３３と受け刃３１が協同して包装フィルム１を横方向に切断する構成となっている。
【０００７】
【発明が解決しようとする課題】
上述した従来の包装フィルム切断装置において、主切断手段の受け刃３１又は回転刃３３には、開封摘み部２の切断を回避するための切欠きが設けてある。通常、この切欠きは受け刃３１に設けてある。この切欠きは、開封摘み部２の形成位置に対応して形成する必要があるが、被包装物１００の大きさにより包装フィルム１の横幅が変わり、それに応じて開封摘み部２の形成位置も変更されるため、従来の包装フィルム切断装置では、切断する包装フィルム１の仕様に応じて切欠き位置を異ならせた各種の受け刃３１を用意しておかなければならず、設備コストがかかるという問題があった。
【０００８】
しかも、受け刃３１の交換に際して、この切欠きを開封摘み部２の形成位置に合わせるための位置決め作業をしなければならない。この位置決め作業では、開封摘み部２の外周基端部に切欠きの両端部を正確に合わせると同時に、切れ味を合わせ直さなければならないので、手間と熟練とを必要とし作業能率向上を阻害する重大な要因となっていた。
この発明はこのような事情に鑑みてなされたもので、開封摘み部の形成位置にかかわりなく、共通の主切断手段で開封摘み部付きの包装フィルムを切断形成できるようにすることを目的とする。
【０００９】
【課題を解決するための手段】
上記目的を達成するためにこの発明は、帯状の包装フィルムを長手方向に繰り出す繰出し手段と、繰り出された包装フィルムの所定位置に舌片状の開封摘み部を形成する開封摘み形成手段と、この開封摘み形成手段より下流側に設けられ、包装フィルムを挟んで相対向する回転刃と受け刃とにより協同して包装フィルムを横方向に切断する主切断手段とを備えた包装フィルム切断装置において、上記開封摘み形成手段より形成した開封摘み部を回転刃側に押し出し、該開封摘み部を回転刃の前面に係合させる開封摘み押出手段を設けた構成としてある。
【００１０】
この開封摘み押出手段により回転刃側に押し出された開封摘み部は、受け刃と回転刃との噛み合いによる包装フィルムの切断時、回転刃により折り曲げられて、受け刃と回転刃の噛み合い部分から抜け出た状態となるので、これら受け刃と回転刃とにより切断されることなく、包装フィルムの切断端に突き出して残すことができる。
【００１１】
したがって、受け刃又は回転刃に、開封摘み部の切断を回避するための切欠きを形成する必要がなく、開封摘み部の形成位置が変わっても、共通の受け刃及び回転刃によって包装フィルムを切断することができる。
また、開封摘み押出手段は、包装フィルムに形成した開封摘み部を押し出すことができればよいので、開封摘み部の形成領域に対して位置決めすればよく、短時間で容易に作業を終了することができる。
【００１２】
この開封摘み押出手段は、例えば、棒状又はピン状の押込み部材を開封摘みへ突き当てることにより、該開封摘みを回転刃側に押し出す構成や、ノズルから噴出するガスの圧力により、開封摘みを回転刃側に押し出す構成とすることができる。
【００１３】
また、この発明の包装フィルム切断方法は、繰り出されてきた帯状の包装フィルムを横方向に切断する回転刃を備えた包装フィルム切断装置において、包装フィルムの所定位置に舌片状の開封摘み部を形成する開封摘み部形成工程と、開封摘み部を回転刃の前方に押し出し、該回転刃の前面に係合させる開封摘み部押出工程と、回転刃の前面で開封摘み部を押し曲げた状態で、回転刃により包装フィルムを横方向に切断する切断工程とを含む方法としてある。
【００１４】
【発明の実施の形態】
以下、この発明の実施形態について図面を参照して詳細に説明する。
図１はこの発明の一実施形態に係る包装フィルム切断装置を模式的に示す構成図、図２は同装置の小口カッタ，繰出しローラ，及びロータリカッタの正面図である。
これらの図に示すように、帯状の包装フィルム１の繰出し経路に沿って、上流側から小口カッタ１０と受けローラ１１、一対の繰出しローラ２０，２１、及びロータリカッタ３０と受け刃３１が設けてある。一対の繰出しローラ２０，２１は互いに協同して帯状の包装フィルム１を連続的に繰り出すための繰出し手段を構成している。
【００１５】
小口カッタ１０と受けローラ１１は、繰り出された包装フィルム１を挟んで相対向して設けてあり、小口カッタ１０の回転ドラム１２に取り付けた刃先１３により、包装フィルム１の所定位置に舌片状の開封摘み部２（図１８参照）を形成する開封摘み形成手段を構成している。
【００１６】
ロータリカッタ３０と受け刃３１も、繰り出された包装フィルム１を挟み相対向して設けてあり、ロータリカッタ３０の回転ドラム３２に取り付けた回転刃３３と受け刃３１との噛み合いによって、包装フィルム１を横方向に切断する主切断手段を構成している。
【００１７】
なお、小口カッタ１０よりもさらに上流側には、開封テープ３を包装フィルム１に融着する一対のヒータ４０及びヒータ受け４１が設けてあり、これらヒータ４０及びヒータ受け４１によって包装フィルム１の所定位置に線状の開封テープ３を重ね合わせて融着する構成となっている。上記小口カッタ１０は、この開封テープ３の融着部に対して一定の間隔で開封摘み部２を形成する。
【００１８】
図２に示すように、小口カッタ１０の回転ドラム１２は、ボルト等の締結具１４によって回転駆動軸１５に位置決め固定されており、締結具１４を弛めることで軸方向に移動自在となり、固定位置を任意に変更できるようになっている。したがって、開封摘み部２の形成位置の変更に対応し、刃先１３の位置を該開封摘み部２の形成位置に位置決め調整することができる。
【００１９】
ロータリカッタ３０の回転ドラム３２には、一対のガイド部材３４，３４が外嵌してある。このガイド部材３４，３４もボルト等の締結具（図示せず）により回転ドラム３２に固定されており、締結具を弛めることで軸方向に移動自在となり、固定位置を任意に変更できるようになっている。ガイド部材３４，３４の中間部は、開封テープ３の移動経路（すなわち、開封摘み部２の移動経路）に対応した空隙３４ａとしてある。この空隙３４ａは、後述する開封摘み押出手段の押込み部材５４がロータリカッタ３０側に突き出してきたときの逃げを形成している。
【００２０】
さらに、この発明の包装フィルム切断装置は、開封摘み押出手段を備えている。同手段は、小口カッタ１０により包装フィルム１に形成した開封摘み部２を、ロータリカッタ３０の回転刃３３側に押し出し、該開封摘み部２を回転刃３３の前面に係合させるもので、この実施形態では、サーボモータ５０を駆動源としたリンク機構によって構成してある（図１参照）。
【００２１】
すなわち、サーボモータ５０の駆動軸にはクランク５１が取り付けてあり、このクランク５１の先端部に駆動リンク５５の一端が回転自在に連結してある。駆動リンク５５の他端には連結軸５６が設けてあり、この連結軸５６に、支点５２を中心に揺動自在な従動リンク５３の先端部が回転自在に連結してある。さらに、連結軸５６には、棒状又はピン状の押込み部材５４が取り付けてある。この押込み部材５４は、駆動リンク５５と一体的に運動する。
【００２２】
押込み部材５４の先端は、開封テープ３の移動経路（すなわち、開封摘み部２の移動経路）に対向するように位置決めしてある。この押込み部材５４は、連結軸５６に対してその軸方向（図１の紙面垂直方向）に取付位置を調整できるようになっており、開封摘み部２を形成する位置の変更に対応して、その先端を位置決めすることができる。
【００２３】
このような構成の開封摘み押出手段は、サーボモータ５０の作動に伴うクランク５１の回転に応じて、駆動リンク５５及び従動リンク５３からなるリンク機構が所定の軌跡を描いて運動するとともに、このリンク機構の運動に連動して押込み部材５４の先端部が開封摘み部２の押出し動作を実行するようになっている（後述する図３〜図９参照）。
【００２４】
なお、繰出しローラ２０とロータリカッタ３０の中間位置には、包装フィルム１の繰出し経路に沿って、一対の押込みガイド部材６０，６０が設けてある。この押込みガイド部材６０，６０は、上述した押込み部材５４による開封摘み部２の押し込み動作に際して、包装フィルム１を支持するためのものである。押込みガイド部材６０，６０は、開封テープ３の移動経路（すなわち、開封摘み部２の移動経路）を挟んで配設してあり、この移動経路上は空隙６０ａとしてある。この空隙６０ａは、押込み部材５４がロータリカッタ３０側に突き出してきたときの逃げとなる。
【００２５】
次に、開封摘み押出し手段の動作について、図３乃至図９を参照して説明する。図３乃至図９は、上述した開封摘み押出し手段の動作を時系列的に表している。
繰出しローラ２０，２１による包装フィルム１の繰出し、及びロータリカッタ３０の回転に同期させてサーボモータ５０を駆動し、駆動軸に取り付けてあるクランク５１を、図３の状態から図の反時計方向に回転させると、従動リンク５３が図の時計方向に揺動し、図３の状態から図４乃至図６に示す状態へと変化していく。
【００２６】
従動リンク５３の揺動に伴い押込み部材５４の先端は包装フィルム１に接近し、さらに開封摘み部２が押込み部材５４の先端と対向する位置にきたとき、押込み部材５４の先端がその開封摘み部２に当接してロータリカッタ３０側に押し出す（図４参照）。
ここで、ロータリカッタ３０は、切断動作に入る前の回転速度を包装フィルム１の繰出し速度よりも相対的に遅くしてある。このため、ロータリカッタ３０の回転刃３３は、包装フィルム１から離れた位置にあって図の反時計方向に回転している（図５参照）。
【００２７】
続いて、回転刃３３が包装フィルム１の切断位置に近づいたとき（図６参照）、包装フィルム１に対するロータリカッタ３０の相対回転速度を高速に切り替える。このとき、押込み部材５４の先端によってロータリカッタ３０側に押し出されている開封摘み部２は、既に回転刃３３の前面側にきているため、回転してきた回転刃３３の前面に係合する（図７参照）。
その直後に、従動リンク５３は、図の反時計方向への揺動に切り替わり、押込み部材５４を包装フィルム１から抜き出して回転刃３３との干渉を回避する（図８参照）。
【００２８】
次いで、回転刃３３と受け刃３１の噛み合いによる包装フィルム１の切断動作が実行されるが（図９参照）、このとき開封摘み部２は回転刃３３の前面に係合して折り曲げられ、受け刃３１と回転刃３３の噛み合い部分から抜け出た状態となっているので、これら受け刃３１と回転刃３３とにより切断されることなく、包装フィルム１の切断端に残存する。
【００２９】
このとき、回転刃３３による包装フィルム１の切断動作を、包装フィルム１の送り速度よりも速い相対回転速度で実行することにより、回転刃３３の前面に開封摘み部２を係合させながら、開封摘み部２の根元へと回転刃３３が入り込んで包装フィルム１を切断することができる。
なお、上述したロータリカッタ３０の回転速度と包装フィルム１の送り速度との関係は、繰出しローラ２０，２１による包装フィルム１の繰出し速度を変速させることにより調整することもできる。
【００３０】
図１０（ａ），（ｂ）は、開封摘み押出し手段の変形実施形態を模式的に示す構成図である。
まず、同図（ａ）に示す開封摘み押出し手段は、押込み部材５４をリンク機構を介することなくロータリアクチュエータ５８に連結し、このロータリアクチュエータ５８を駆動源として押込み部材５４に開封摘み部２の押込み動作を行なわせるように構成したものである。
【００３１】
ロータリアクチュエータ５８は、繰出しローラ２０，２１による包装フィルム１の繰出し、及びロータリカッタ３０の回転に同期して所定の角度範囲で往復回動し、図の時計方向の回動によって押込み部材５４の先端を開封摘み部２へ押し出し、続く図の反時計方向の回動によって押込み部材５４の先端を包装フィルム１から引き出して回転刃３３との干渉を回避させる。
【００３２】
また、同図（ｂ）に示す開封摘み押出し手段は、支軸５７ａを中心に回転自在な回転部材５７に押込み部材５４を装着し、ロータリアクチュエータ５８によって押込み部材５４を回動させて、開封摘み部２の押込み動作を行なわせるように構成したものである。
【００３３】
すなわち、ロータリアクチュエータ５８の回転駆動部には凸状のキッカー５８ａが設けてあり、一方、回転部材５７にはこのキッカー５８ａが係合する突起５７ｂが設けてある。また、回転部材５７に装着した押込み部材５４は、コイルばね等の付勢部材５９によって包装フィルム１から離間する方向（図の反時計方向）に付勢されている。
【００３４】
そして、包装フィルム１の繰出し動作に同期して、開封摘み部２が切断位置近傍の所定位置に送られてきたとき、ロータリアクチュエータ５８が作動してキッカー５８ａを図の反時計方向に回動させる。これにより、キッカー５８ａが突起５７ｂと係合して回動部材５７と一体に押込み部材５４を図の時計方向に回動させる。この動作によって押込み部材５４の先端が開封摘み部２をロータリカッタ３０側に押し出す。
【００３５】
ロータリアクチュエータ５８は連続して回転するが、キッカー５８ａと突起５７ｂとの間の係合は、押し出された開封摘み部２に回転刃３３の前面が係合するタイミングに合わせて解除するように調整してある。したがって、開封摘み部２に回転刃３３の前面が係合するのと略同時に、キッカー５８ａと突起５７ｂとの間の係合が解除されて、押込み部材５４が付勢部材５９の付勢力により包装フィルム１から引き抜かれるので、押込み部材５４と回転刃３３との干渉を回避することができる。
これらの変形実施形態でも押込み部材５４は、紙面垂直方向に取付位置を調整できるようになっており、開封摘み部２を形成する位置の変更に対応して、先端を位置決めすることができる。
【００３６】
図１１は、開封摘み押出し手段の他の変形実施形態を模式的に示す構成図である。
同図に示す開封摘み押出し手段は、圧縮空気等のガスを噴射するノズル７０を、包装フィルム１を挟んでロータリカッタ３０と相対向して配設し、回転刃３３と受け刃３１の噛み合いによる包装フィルム１の切断位置近傍に送られてきた開封摘み部２に同期してノズル７０からガスを噴射し、その圧力によって開封摘み部２を回転刃３３側に押し出すようになっている。
【００３７】
このようにして回転刃３３側に押し出された開封摘み部２は、回転刃３３の前面に係合して折り曲げられるので、受け刃３１と回転刃３３とによる包装フィルム１の切断時は、受け刃３１と回転刃３３の噛み合い部分から抜け出た状態となり、切断されることなく包装フィルム１の切断端に突き出して残存する。
【００３８】
図１１に示したように一本のノズル７０で構成した開封摘み押出し手段は、切断動作に入る前の回転刃３３の回転速度が遅く、切断動作直前から変速して回転刃３３を高速回転させる場合に適している。
すなわち、１本のノズル７０ではガスの噴射領域が狭小なため、包装フィルム１の切断位置近傍で開封摘み部２にガスを噴射することになる。ところが、切断動作に入る前の回転刃３３の回転速度が包装フィルム１の繰出し速度に近い場合は、包装フィルム１に対する回転刃３３の待ちがなくなり、包装フィルム１の切断位置近傍に開封摘み部２が送られてきたとき、回転刃３３もその付近まで回転してきているため、回転刃３３の前面側に開封摘み部２を押し出すことができないおそれがある。
【００３９】
そこで、このように切断動作に入る前の回転刃３３の回転速度が包装フィルム１の繰出し速度に近い場合は、図１２乃至図１４に示すように複数本（図では２本）のノズル７１，７２を、開封テープ３の移動経路（すなわち、開封摘み部２の移動経路）に沿って配設し、上流側の第１ノズル７１から順次ガスを噴射させて開封摘み部２の押し出し動作を実行させるようにすることが好ましい。
【００４０】
すなわち、包装フィルム１の切断位置から離れた上流側の地点で、第１ノズル７１からガスを噴射させて開封摘み部２をロータリカッタ３０側に押し出し（図１２参照）、さらに開封摘み部２が包装フィルム１の切断位置の近傍にきたとき、第２ノズル７２からガスを噴射させることにより、開封摘み部２の押込み状態を持続させる（図１３参照）。この間に、回転刃３３が包装フィルム１の切断位置近傍まで回転してくるため、その前面に開封摘み部２を係合させて折り曲げ、切断動作に移行することができる（図１４参照）。
各ノズル７１，７２は、紙面垂直方向に取付位置を調整できるようになっており、開封摘み部２を形成する位置の変更に対応して、先端を位置決めすることができる。
【００４１】
なお、これらガスの噴射を利用した開封摘み押出し手段を用いる場合には、図１１に示すように、包装フィルム１の繰出し経路におけるガスの噴射位置より上流側に、予備押出し手段７３を設けておくことが好ましい。この予備押出し手段７３は、開封摘み部２をロータリカッタ３０側に押し出して折り癖をつけるためのもので、例えば、周面に押出し突起７４ａを有する押出しローラ７４と、この押出しローラ７４が係合する溝７５ａを有する受け溝ローラ７５とによって構成することができる。
【００４２】
押出しローラ７４は包装フィルム１の繰出しに同期して回転しており、送られてきた開封摘み部２に押出し突起７４ａが接触して、同開封摘み部２を受け溝ローラ７５の溝７５ａ内に押し込んで折り癖を付ける。このとき同時に、開封摘み部２の根元を除く周縁が、包装フィルム１から完全に切り離される。したがって、後の工程において、ノズル７０によるガスの噴射をもって確実に開封摘み部２をロータリカッタ３０側に押し出すことができる。
【００４３】
次に、上述した包装フィルム切断装置を利用した包装フィルムの切断方法について説明する。
まず、繰出しローラ２０，２１によって繰り出されてきた帯状の包装フィルム１に、ヒータ４０及びヒータ受け４１を使用して開封テープ３を融着する（図１参照）。続いて、ヒータ４０及びヒータ受け４１の下流側に設けた小口カッタ１０と受けローラ１１とによって、包装フィルム１における開封テープ３を融着した線上の所定位置に、舌片状の開封摘み部２を形成する（開封摘み形成工程）。
【００４４】
次いで、回転刃３３と受け刃３１による包装フィルム１の切断位置近くに送られてきた開封摘み部２を、上述したような構成の開封摘み押出し手段によって回転刃３３の前方に押し出し、回転刃３３の前面に係合させる（開封摘み押出工程）。回転刃３３の前面に係合した開封摘み部２は、折り曲げられた状態で受け刃３１と回転刃３３とによる包装フィルム１の切断位置に到達する。
【００４５】
そして、受け刃３１と回転刃３３とにより、包装フィルム１を横方向に切断する（切断工程）。このとき、回転刃３３の前面で折り曲げられている開封摘み部２は、受け刃３１と回転刃３３の噛み合い部分から抜け出た状態となり、切断されることなく包装フィルム１の切断端に突き出して残存する。
【００４６】
なお、この発明は上述した実施形態に限定されるものではない。
例えば、図１１に示したノズル７０の先端開口部の形状を、包装フィルム１の移送経路に沿った長尺形状とすれば、１本のノズル７０で、回転刃３３の回転速度が包装フィルムの繰出し速度に近い場合にも対応することができる。
また、主切断手段であるロータリカッタ３０と受け刃３１によって切断した包装フィルム１の切断端に、開封摘み部２が突き出して残存するか否かを判別する開封摘み部検出手段を設けてもよい。この開封摘み部検出手段は、例えば、主切断手段の下流側にイメージセンサ等で構成することができる。
【００４７】
【発明の効果】
以上説明したようにこの発明によれば、開封摘み部の形成位置にかかわりなく、共通の主切断手段で開封摘み部付きの包装フィルムを切断形成できるので、設備コストの低価格化を実現できるとともに、開封摘み部の形成位置を変更した場合にも面倒な調整作業が必要なく、作業能率の向上を図ることができる。
【図面の簡単な説明】
【図１】この発明の一実施形態に係る包装フィルム切断装置を模式的に示す構成図である。
【図２】同装置の小口カッタ，繰出しローラ，及びロータリカッタの正面図である。
【図３】開封摘み押出し手段の動作説明図である。
【図４】図３に続く開封摘み押出し手段の動作説明図である。
【図５】図４に続く開封摘み押出し手段の動作説明図である。
【図６】図５に続く開封摘み押出し手段の動作説明図である。
【図７】図６に続く開封摘み押出し手段の動作説明図である。
【図８】図７に続く開封摘み押出し手段の動作説明図である。
【図９】図８に続く開封摘み押出し手段の動作説明図である。
【図１０】開封摘み押出し手段の変形実施形態を示す模式図である。
【図１１】開封摘み押出し手段の他の変形実施形態を示す模式図である。
【図１２】図１１に示す構成をさらに変形した開封摘み押出し手段の動作説明図である。
【図１３】図１２に続く開封摘み押出し手段の動作説明図である。
【図１４】図１３に続く開封摘み押出し手段の動作説明図である。
【図１５】上包み包装装置の概要を示す斜視図である。
【図１６】包装フィルムの切断形態を示す正面図である。
【図１７】上包み包装装置による被包装物の包装形態を示す斜視図である。
【図１８】従来の包装フィルム切断装置の構成とその切断作業の流れとを対応させて示す模式図である。
【符号の説明】
１：包装フィルム          ２：開封摘み部
１０：小口カッタ        １１：受けローラ
２０，２１：繰出しローラ
３０：ロータリカッタ    ３１：受け刃
３３：回転刃            ３４：ガイド部材
３４ａ：空隙
４０：ヒータ            ４１：ヒータ受け
５０：サーボモータ      ５１：クランク
５２：支点              ５３：従動リンク
５４：押込み部材        ５５：駆動リンク
５６：連結軸
５７：回転部材        ５７ｂ：突起
５８：ロータリアクチュエータ
５８ａ：キッカー        ５９：付勢部材
６０：押込みガイド部材  ６０ａ：空隙
７０：ノズル            ７１：第１ノズル
７２：第２ノズル        ７３：予備押出し手段
７４：押出しローラ      ７５：受け溝ローラ
【図１】
0003681227.tif 000002
【図２】
0003681227.tif 000003
【図３】
0003681227.tif 000004
【図４】
0003681227.tif 000005
【図５】
0003681227.tif 000006
【図６】
0003681227.tif 000007
【図７】
0003681227.tif 000008
【図８】
0003681227.tif 000009
【図９】
0003681227.tif 000010
【図１０】
0003681227.tif 000011
【図１１】
0003681227.tif 000012
【図１２】
0003681227.tif 000013
【図１３】
0003681227.tif 000014
【図１４】
0003681227.tif 000015
【図１５】
0003681227.tif 000016
【図１６】
0003681227.tif 000017
【図１７】
0003681227.tif 000018
【図１８】
0003681227.tif 000019